【手続補正書】
【提出日】平成29年8月7日(2017.8.7)
【手続補正１】
【補正対象書類名】特許請求の範囲
【補正対象項目名】全文
【補正方法】変更
【補正の内容】
【特許請求の範囲】
【請求項１】
第１及び第２の光源と、該第１及び第２の光源から出射した第１及び第２の光束の夫々を第１の偏向面で偏向して第１及び第２の被走査面を主走査方向に走査する偏向器と、該偏向器により偏向された前記第１及び第２の光束の夫々を前記第１及び第２の被走査面に集光する第１及び第２の結像光学系とを備える光走査装置であって、
前記第１及び第２の結像光学系は、前記第１及び第２の光束の夫々が入射する副走査方向に配列された第１及び第２の光学面を含む共通の多段レンズを有し、
前記第２の被走査面は、前記第１の被走査面よりも前記偏向器に近い位置に配置されており、
前記第１の偏向面から前記第１の被走査面に至る第１の光路長よりも、前記第１の偏向面から前記第２の被走査面に至る第２の光路長の方が長く、
前記第２の光学面を通過した前記第２の光束を反射する第１のミラーと、該第１のミラーにより反射された前記第２の光束を反射する第２のミラーとを備え、
前記第２の光束の前記第１のミラーにおける第１の反射点及び前記第２のミラーにおける第２の反射点は、副走査方向において前記多段レンズの外形中心位置に対して同じ側に位置することを特徴とする光走査装置。
【請求項２】
前記第１及び第２の光学面の形状は、副走査方向において互いに非対称であることを特徴とする請求項１に記載の光走査装置。
【請求項３】
前記第１及び第２の結像光学系は、前記偏向器と前記多段レンズとの間に配置され、前記第１及び第２の光束が入射する共通の光学素子を有することを特徴とする請求項１又は２に記載の光走査装置。
【請求項４】
光軸方向において、前記第１の反射点から前記第２の被走査面までの距離は、前記第１の反射点から前記第１の被走査面までの距離よりも長いことを特徴とする請求項１乃至３の何れか１項に記載の光走査装置。
【請求項５】
光軸方向において、前記多段レンズの出射面から前記第１の反射点までの距離は、前記第１の反射点から前記第１の被走査面までの距離よりも長いことを特徴とする請求項１乃至４の何れか１項に記載の光走査装置。
【請求項６】
副走査方向において、前記第２の反射点は前記多段レンズよりも前記第２の被走査面から遠い位置に存在することを特徴とする請求項１乃至５の何れか１項に記載の光走査装置。
【請求項７】
前記偏向器から前記多段レンズに至る光路と前記第２のミラーから前記第２の被走査面に至る光路とは、副走査断面内において互いに交差していることを特徴とする請求項１乃至６の何れか１項に記載の光走査装置。
【請求項８】
前記第１の偏向面から前記第２の被走査面に至る光路には、前記第１及び第２のミラー以外のミラーが配置されていないことを特徴とする請求項１乃至７の何れか１項に記載の光走査装置。
【請求項９】
前記第１のミラーから前記第２のミラーに至る光路には、レンズが配置されていないことを特徴とする請求項１乃至８の何れか１項に記載の光走査装置。
【請求項１０】
前記多段レンズから前記第２のミラーに至る光路には、レンズが配置されていないことを特徴とする請求項１乃至９の何れか１項に記載の光走査装置。
【請求項１１】
前記第１の光路長をＴ１（ｍｍ）、前記第２の光路長をＴ２（ｍｍ）とするとき、
２５≦Ｔ２−Ｔ１≦６５
なる条件を満足することを特徴とする請求項１乃至１０の何れか１項に記載の光走査装置。
【請求項１２】
主走査断面内において、前記第１の結像光学系の後側主平面から前記第１の被走査面までの光路長をＳｋ１（ｍｍ）、前記第１の結像光学系の焦点距離をｆ１（ｍｍ）、前記第２の結像光学系の後側主平面から前記第２の被走査面までの光路長をＳｋ２（ｍｍ）、前記第２の結像光学系の焦点距離をｆ２（ｍｍ）とし、前記第１の結像光学系の第１の収束度をｍ１＝１−Ｓｋ１／ｆ１、前記第２の結像光学系の第２の収束度をｍ２＝１−Ｓｋ２／ｆ２とするとき、
０．１５＜｜ｍ１−ｍ２｜＜０．５０
なる条件を満足することを特徴とする請求項１乃至１１の何れか１項に記載の光走査装置。
【請求項１３】
主走査断面内において、前記第１の結像光学系の後側主平面から前記第１の被走査面までの光路長をＳｋ１（ｍｍ）、前記第１の結像光学系の焦点距離をｆ１（ｍｍ）、前記第２の結像光学系の後側主平面から前記第２の被走査面までの光路長をＳｋ２（ｍｍ）、前記第２の結像光学系の焦点距離をｆ２（ｍｍ）とし、前記第１の結像光学系の第１の収束度をｍ１＝１−Ｓｋ１／ｆ１、前記第２の結像光学系の第２の収束度をｍ２＝１−Ｓｋ２／ｆ２とし、｜ｍ１｜及び｜ｍ２｜のうち大きい方をｍとするとき、
０．２＜ｍ＜０．５
なる条件を満足することを特徴とする請求項１乃至１２の何れか１項に記載の光走査装置。
【請求項１４】
前記第１の結像光学系のＫθ係数をＫ１、前記第２の結像光学系のＫθ係数をＫ２とするとき、
０．６５≦Ｋ１／Ｋ２≦０．８５
なる条件を満足することを特徴とする請求項１乃至１３の何れか１項に記載の光走査装置。
【請求項１５】
前記第１及び第２の光学面の光軸上における形状は、主走査方向において同一であることを特徴とする請求項１乃至１４の何れか１項に記載の光走査装置。
【請求項１６】
前記第１の光学面に対する前記第２の光学面の相対的な面形状は、主走査方向において光軸上から端部に向かうに従って前記偏向器からの距離が増加する形状であることを特徴とする請求項１乃至１５の何れか１項に記載の光走査装置。
【請求項１７】
前記第１の光学面と前記第２の光学面との面形状差の最大値をＸｍａｘ（ｍｍ）とするとき、
０．１≦｜Ｘｍａｘ｜≦５．０
なる条件を満足することを特徴とする請求項１乃至１６の何れか１項に記載の光走査装置。
【請求項１８】
前記第１及び第２の光学面は、境界部において互いに光軸方向にずれて配置されていることを特徴とする請求項１乃至１７の何れか１項に記載の光走査装置。
【請求項１９】
前記境界部における前記第１の光学面に対する前記第２の光学面の相対的な面形状は、主走査方向において光軸上から端部に向かうに従って前記偏向器からの距離が増加する形状であることを特徴とする請求項１８に記載の光走査装置。
【請求項２０】
前記多段レンズにおける前記第１の光学面に対応する第１の肉厚と前記第２の光学面に対応する第２の肉厚との差は、主走査方向において光軸上から端部に向かうに従って大きくなることを特徴とする請求項１乃至１９の何れか１項に記載の光走査装置。
【請求項２１】
前記多段レンズにおける前記第１の光学面に対応する第１の肉厚と前記第２の光学面に対応する第２の肉厚との差の最大値をｄｍａｘ（ｍｍ）とするとき、
０．０５≦｜ｄｍａｘ｜≦５．０
なる条件を満足することを特徴とする請求項１乃至２０の何れか１項に記載の光走査装置。
【請求項２２】
前記第２の結像光学系の副走査断面内での倍率をβｓとするとき、
２．５≦｜βｓ｜＜５．０
なる条件を満足することを特徴とする請求項１乃至２１の何れか１項に記載の光走査装置。
【請求項２３】
前記第１及び第２の光学面の面頂点の位置は、主走査方向及び光軸方向において一致していることを特徴とする請求項１乃至２２の何れか１項に記載の光走査装置。
【請求項２４】
請求項１乃至２３の何れか１項に記載の光走査装置と、該光走査装置により前記第１及び第２の被走査面上に形成される静電潜像をトナー像として現像する現像器と、現像された前記トナー像を被転写材に転写する転写器と、転写された前記トナー像を前記被転写材に定着させる定着器とを備えることを特徴とする画像形成装置。
【請求項２５】
請求項１乃至２３の何れか１項に記載の光走査装置と、外部機器から出力された色信号を互いに異なる色の画像データに変換して前記光走査装置に入力するプリンタコントローラとを有することを特徴とする画像形成装置。
【手続補正２】
【補正対象書類名】明細書
【補正対象項目名】０００７
【補正方法】変更
【補正の内容】
【０００７】
上記目的を達成するための、本発明の一側面としての光走査装置は、第１及び第２の光源と、該第１及び第２の光源から出射した第１及び第２の光束の夫々を第１の偏向面で偏向して第１及び第２の被走査面を主走査方向に走査する偏向器と、該偏向器により偏向された前記第１及び第２の光束の夫々を前記第１及び第２の被走査面に集光する第１及び第２の結像光学系とを備え、前記第１及び第２の結像光学系は、前記第１及び第２の光束の夫々が入射する副走査方向に配列された第１及び第２の光学面を含む共通の多段レンズを有し、前記第２の被走査面は、前記第１の被走査面よりも前記偏向器に近い位置に配置されており、前記第１の偏向面から前記第１の被走査面に至る第１の光路長よりも、前記第１の偏向面から前記第２の被走査面に至る第２の光路長の方が長く、前記第２の光学面を通過した前記第２の光束を反射する第１のミラーと、該第１のミラーにより反射された前記第２の光束を反射する第２のミラーとを備え、前記第２の光束の前記第１のミラーにおける第１の反射点及び前記第２のミラーにおける第２の反射点は、副走査方向において前記多段レンズの外形中心位置に対して同じ側に位置することを特徴とする。
【手続補正３】
【補正対象書類名】明細書
【補正対象項目名】００５２
【補正方法】変更
【補正の内容】
【００５２】
但し、Ｒは主走査断面内での曲率半径（母線曲率半径）であり、Ｋ，Ｂ４，Ｂ６，Ｂ８，Ｂ１０，Ｂ１２は非球面係数である。なお、非球面係数Ｂ４，Ｂ６，Ｂ８，Ｂ１０，Ｂ１２は、光走査装置１００における光軸に対して光源とは反対側（図２における＋Ｙ側）と光源側（図２における−Ｙ側）とにおいて、互いに数値を異ならせてもよい。これにより、母線形状を光軸に対して主走査方向に非対称な形状とすることができる。表２及び４では、光軸に対して光源とは反対側での数値をＢ４Ｕ，Ｂ６Ｕ，Ｂ８Ｕ，Ｂ１０Ｕ，Ｂ１２Ｕとし、光軸に対して光源側での数値をＢ４Ｌ，Ｂ６Ｌ，Ｂ８Ｌ，Ｂ１０Ｌ，Ｂ１２Ｌとし、互いに同じ値に設定している。